(57)【要約】【課題】給湯時の操作性がよく、また外観の見栄えがよく、また部品点数が少なく組付けが容易な給湯レバーを有する電気貯湯容器を提供することを目的とする。【解決手段】容器本体と、前記容器本体の上方開口部を閉蓋可能な蓋部材と、前記容器本体内に設けられ内容物を入れる内ケースと、前記内ケースの下方に設けられる加熱源と、前記内ケースの内容物を給湯口より外部に供給する電動ポンプと、各種スイッチボタンを有する操作部と、前記電動ポンプを電気的に駆動する給湯レバーと、を有する電気貯湯容器であって、前記給湯レバーは、前記操作部の前方に、前記操作部の上面と面一に設けられる構成。【選択図】図１
2014221137.tif 000002
【特許請求の範囲】
【請求項１】
容器本体と、前記容器本体の上方開口部を閉蓋可能な蓋部材と、前記容器本体内に設けられ内容物を入れる内ケースと、前記内ケースの下方に設けられる加熱源と、前記内ケースの内容物を給湯口より外部に供給する電動ポンプと、各種スイッチボタンを有する操作部と、前記電動ポンプを電気的に駆動する給湯レバーと、を有する電気貯湯容器であって、
前記給湯レバーは、前記操作部の前方に、前記操作部の上面と面一に設けられることを特徴とする電気貯湯容器。
【請求項２】
前記給湯レバーは、２個の回動軸を有し、
前記２個の回動軸は、前記給湯レバーの両端の後方に設けられることを特徴とする請求項１に記載の電気貯湯容器。
【請求項３】
前記給湯レバーにより操作される給湯スイッチを有し、
前記給湯スイッチは、平面視で前記給湯口と重ならないことを特徴とする請求項１又は２に記載の電気貯湯容器。
【請求項４】
前記給湯スイッチは、前記給湯口の近傍に設けられることを特徴とする請求項３に記載の電気貯湯容器。
【発明の詳細な説明】
【技術分野】
【０００１】
本願発明は、電気貯湯容器に関し、特に電気貯湯容器の電動ポンプを駆動するための給湯レバーに関するものである。
【背景技術】
【０００２】
従来の電気貯湯容器は、容器本体内の内容器内の水をその底部外面に設けられるヒータ等の加熱手段によって加熱し、加熱沸騰したお湯を容器本体の底部と内容器との間に設けられる電動ポンプ、或いは蓋部材に設けられる手動ポンプにより給湯通路を介して給湯口より給湯するとともに、加熱手段による内容器内の水を加熱沸騰させる機能及び加熱沸騰後のお湯を保温する機能を備え、常時所定温度のお湯を供給したり、または加熱沸騰後にコンセントを外し、好きなところへ移動し、手動ポンプにより給湯を行うことができるというように使い勝手の良い器具の一つである。
【０００３】
また、従来の電気貯湯容器は、沸騰後のお湯を効率的に保温するため、例えば、内容器を真空二重槽からなる真空断熱構造体から構成したり、また、蓋部材にも断熱材を施したものが提案されており、通電時においては保温電力を低減し、コンセントを外した使用形態では温度低下を極力抑えるように工夫が施されている。
【０００４】
そして、電気貯湯容器の前方側上面には、給湯スイッチボタン等の各種スイッチボタン及び表示部を有する操作部が設けられ、更に各種スイッチボタンの下方にはマイコン基板に配置される各種操作スイッチが対向して設けられており、各種スイッチボタンを押すと各種操作スイッチがオンして上記沸騰加熱制御及び保温制御が行われる。
【０００５】
ところで、従来の給湯スイッチボタンは操作がし難いとの要望に応えるために、給湯スイッチボタンをレバー式にしたものが提案されている。
【０００６】
図１２に示す電気貯湯容器１は、肩部材２の前方側のノーズ部３の上面に各種スイッチボタン５及び表示部６を有する操作部４を設け、操作部４の右側に電動ポンプを電気的に駆動する給湯レバー７を配置するものである。
【０００７】
そして、給湯レバー７の上面前方に下方に窪んだ円形の押圧部７ａを設け、給湯レバー７の下方の後方に破線で示すように軸７ｂを設けてなり、ユーザーは押圧部７ａを指で上方から下方に向けて押し、給湯レバー７を軸７ｂを中心にして回動すると図示しない電動ポンプが駆動されて湯を給湯する（例えば、特許文献１参照）。
【０００８】
上記従来例の給湯レバー７は、操作部４に設けられる各種スイッチボタン５の一つである給湯スイッチボタンに比べて見やすく操作しやすい反面、給湯レバー７が操作部４の右側に設けられているため、左手での操作に若干の煩わしさを有していた。
【０００９】
また、上記従来例の給湯レバー７は、軸７ｂが給湯レバー７の下方に設けられているため、ユーザーが押圧部７ａより後方側、例えば、軸７ｂ近傍の上面を押した場合、最悪給湯レバー７下方の給湯スイッチがオンしなくなる。
【００１０】
また、上記従来例の給湯レバー７は、軸７ｂが給湯レバー７の下方の後方に設けられているため、ユーザーが押圧部７ａを押した場合、給湯レバー７の後端部７ｃが大きく上動して肩部材２との間に大きな隙間が生じ、見栄えが悪くなる。
【００１１】
上記従来例のものの操作性を改善するものとして図１３に示すものが提案されている。図１３に示す電気貯湯容器１１は、蓋部材１２の前方側のノーズ部１３の上面に各種スイッチボタン１５及び表示部１６を有する操作部１４を設け、操作部１４の下方のノーズ部１３に前方側が開口した左右方向に長い矩形状のポケット部１７を設け、このポケット部１７内に電動ポンプを電気的に駆動する左右方向に長い給湯レバー１８を配置するものである。
【００１２】
この給湯レバー１８は、そのほとんどがポケット部１７内に収納され、矢印で示すように指で下動すると図示しない電動ポンプが駆動されて給湯口１９より湯を給湯する（例えば、特許文献２参照）。
【００１３】
ところで、図１３に示す従来例のものは給湯レバー１８がポケット部１７内に収納されており、左右両方からの操作性並びに見栄えはよい反面、ポケット部１７内に指を入れて操作するため操作性が若干劣り、また、手入れがし難いという問題を有する。
【００１４】
また、図１３に示す従来例のものは、公報図面の図８等に記載されるように給湯レバー１８を取り付けるために、２個の前パネル部品、軸となる２本の摺動ピン、２個の軸受部材及び１個の補強部材の７部品を要し、生産コストが高騰し、組付けに手間が掛かるという問題を有する。
【先行技術文献】
【特許文献】
【００１５】
【特許文献１】特開２００７−２３６５８４号公報
【特許文献２】特開２０１２−２４９９８０号公報
【発明の概要】
【発明が解決しようとする課題】
【００１６】
本願発明の目的は、上記欠点を解消するもので、給湯時の操作性がよく、また外観の見栄えがよく、また部品点数が少なく組付けが容易な給湯レバーを有する電気貯湯容器を提供することである。
【課題を解決するための手段】
【００１７】
上記目的を達成するため、本願発明は以下の構成を採用する。
【００１８】
請求項１に係る発明では、容器本体と、前記容器本体の上方開口部を閉蓋可能な蓋部材と、前記容器本体内に設けられ内容物を入れる内ケースと、前記内ケースの下方に設けられる加熱源と、前記内ケースの内容物を給湯口より外部に供給する電動ポンプと、各種スイッチボタンを有する操作部と、前記電動ポンプを電気的に駆動する給湯レバーと、を有する電気貯湯容器であって、前記給湯レバーは、前記操作部の前方に、前記操作部の上面と面一に設けられる構成。
【００１９】
請求項２に係る発明では、請求項１の構成に加え、前記給湯レバーは、２個の回動軸を有し、前記２個の回動軸は、前記給湯レバーの両端の後方に設けられる構成。
【００２０】
請求項３に係る発明では、請求項１又は２の構成に加え、前記給湯レバーにより操作される給湯スイッチを有し、前記給湯スイッチは、平面視で前記給湯口と重ならない構成。
【００２１】
請求項４に係る発明では、請求項４の構成に加え、前記給湯スイッチは、前記給湯口の近傍に設けられる構成。
【発明の効果】
【００２２】
請求項１に係る発明では、給湯レバーを操作部の前方に操作部の上面と面一に設けることにより、給湯レバーをノーズ部の左右方向の幅とほぼ同じ、例えば同じか又はそれより若干短い長さにすることができるようになり、左右いずれの手でも操作でき、且つ手入れが容易になり、操作性並びに利便性を向上することができる。また、給湯レバーは操作部の上面と面一であり、外観全体の見栄えを向上することができる。
【００２３】
請求項２に係る発明では、給湯レバーの２個の回動軸を給湯レバーの両端の後方に設けることにより、請求項１に係る発明の効果に加え、回動軸が給湯レバーの後方になり給湯レバーの押しストロークが確保され、給湯レバーを軽い力で操作することができる。
【００２４】
また、給湯レバーの操作時に、給湯レバーの後面と操作部の前面との間にできる隙間が小さくなり、上記図１２のもので説明したように隙間が大きくなり見栄えが悪くなる弊害を低減することができる。
【００２５】
請求項３に係る発明では、給湯レバーにより操作される給湯スイッチを平面視で給湯口と重ならないようにすることにより、請求項１又は２に係る発明の効果に加え、ノーズ部の上下方向の高さが高くなり電気貯湯容器が大型化する弊害を防止することができるとともに、デザイン性を向上することができる。即ち、給湯スイッチが平面視で給湯口と重なると、給湯レバーと給湯スイッチと給湯口の３層構造になりその部分の上下方向の高さが高くなるところ、そのような弊害を防止できる。
【００２６】
請求項４に係る発明では、給湯スイッチを給湯口の近傍に設けることにより、請求項３に係る発明の効果に加え、給湯レバーの中央、即ち給湯口近傍を押した場合、或いは給湯レバーの左右端部のいずれを押した場合でも給湯スイッチがオンされるというように給湯レバーの操作をより確実にすることができる。
【００２７】
即ち、本願発明の給湯レバーの２個の回動軸は給湯レバーの左右側の後方に設けられるため、給湯スイッチが給湯レバーの左右側のいずれかの位置に設けられている場合、給湯スイッチと反対側の給湯レバーの端部を押すと給湯スイッチが支点となって給湯レバーがシーソー状に動き（即ち、給湯スイッチ直上の給湯レバーの箇所はほとんど下動しない。）、結果として給湯スイッチがオンしないようになるところ、そのような弊害をなくすことができる。
【図面の簡単な説明】
【００２８】
【図１】電気貯湯容器の平面図
【図２】図１のＡ−Ａ線の断面図
【図３】図２のノーズ部の拡大断面図
【図４】給湯レバーを取り外した電気貯湯容器を斜め上方から見た斜視図
【図５】給湯レバーを斜め上方から見た斜視図
【図６】給湯レバーを斜め下方から見た斜視図
【図７】ノーズ部近傍を斜め下方から見た斜視図
【図８】ノーズ部に給湯レバーを取付けた状態を斜め下方から見た斜視図
【図９】マイコン基板を斜め上方から見た斜視図
【図１０】図１のＢ−Ｂ線の断面図
【図１１】図１のＣ−Ｃ線の断面図
【図１２】従来の給湯レバーを有する電気貯湯容器の平面図
【図１３】従来の他の給湯レバーを有する電気貯湯容器の平面図
【実施例】
【００２９】
以下、添付の図面を参照して、本願発明の実施の形態について詳述する。
【００３０】
図１に本願発明の電気貯湯容器の平面図を示し、図２にその全体断面図（図１のＡ−Ａ線の断面図）を示し、図５及び図６に給湯レバーを示す。なお、図１において給湯レバー側（図１の左側）を前方側とし、ヒンジ部側（図１の右側）を後方側とし、給湯レバーとヒンジ部とを結ぶ方向を前後方向とし、前後方向に直交する方向を左右方向（図１の上下方向）とし、図１の上方を左側とし、図１の下方を右側とする。
【００３１】
この電気貯湯容器２０は、貯湯用の内容器２３を備えた容器本体２１と、前記容器本体２１を開閉する蓋部材２２と、前記内容器２３を加熱する加熱源である電気ヒータ２４と、前記内容器２３内の湯を給湯口２５より給湯するための給湯通路２６と、前記給湯通路２６を介して湯を送り出す電動ポンプ２７等を有する。また、容器本体２１の外周部には、前記ポットを持ち運びするための取手３１が設けられる。
【００３２】
前記容器本体２１は、外周面を構成する合成樹脂製の外ケース２８と、内周面を構成する前記内容器２３と、外ケース２８と内容器２３とを結合する合成樹脂製の環状の肩部材２９と、底面を構成する合成樹脂製の底板３０からなる。
【００３３】
前記内容器２３の底部には、雲母板に発熱体を保持させてなるマイカヒータ等の電気ヒータ２４が取り付けられ、その底部中央には内容器２３内の湯温を検出する湯温検出手段としての温度センサー３２が設けられ、加熱及び保温制御のために用いられる。
【００３４】
前記給湯口２５が設けられる前方側は、図１、図２に示すように、前方側に向かって傾斜するとともに、平面視略台形状を呈するノーズ部３３を形成する。このノーズ部３３は上部部分３３ａ及び下部部分３３ｂからなる。なお、ノーズ部３３は平面視略三角形状及び略矩形状等であってもよい。
【００３５】
上部部分３３ａは下方が開口される部分で肩部材２９と一体に形成され、下部部分３３ｂは上方が開口される部分で外ケース２８と一体に形成されており、肩部材２９と外ケース２８とが組付けられると、上部部分３３ａと下部部分３３ｂとの間に給湯口２５等が配置される内部空間３４を形成する。
【００３６】
そして、ノーズ部３３の上面である上部部分３３ａの上面には、後方側に操作部５０が配置され、前方側に後記する給湯レバー６５が配置される。また、前記内部空間３４には、止水弁３５が設けられ、電気貯湯容器が傾斜ならびに転倒した場合に、給湯通路２６を閉鎖し、給湯口２５からの熱湯の流出を防止する。なお、給湯口２５の下端は下部部分３３ｂを貫通し下方に向けて開口する。
【００３７】
前記蓋部材２２は、容器本体２１の上方開口部を閉蓋する部材であり、合成樹脂製の蓋上部材３６と前記蓋上部材３６に対して図示しないビス等により結合された合成樹脂製の蓋下部材３７等とからなり、蓋下部材３７の下部には、内容器２３の上方開口部に対向し、前記上方開口部の蓋としての機能を有する金属製の内蓋３８を有し、前記肩部材２９の後方側に設けられるヒンジ部３９を介して開閉自在に支持される。
【００３８】
前記蓋上部材３６の前方側には、蓋開放部材４０が設けられる。蓋の開放は、前記蓋開放部材４０の前方側をまず指で押し下げ、後方側を隆起させた後、その隆起した部分に指をかけ手前に引いて蓋部材２２を開放する。
【００３９】
前記蓋下部材３７は、その全体は上方開放の略皿状の樹脂製部材であり、蓋上部材３６との間に断熱空間４１を形成し、この断熱空間４１内には断熱材４２が挿入される。この断熱材４２は、手動ポンプ４５の直下の空間にも設けられる。
【００４０】
蓋上部材３６の略中央には、押圧部材４６及びベローズユニット４７等からなる手動ポンプ４５が設けられる。押圧部材４６は、下方が開放したキャップ状の樹脂製部材であり、上方から押圧されると、ベローズユニット４７を押し下げ、内部の空気を内蓋３８の略中央に設けられる開口穴より内容器２３内に噴出する。
【００４１】
ベローズユニット４７は、ベローズ４７ａ、先端にシールパッキン４７ｂを取り付けてなる上下動可能なバルブロッド４７ｃ等からなり、押圧部材４６が押圧されるとベローズ４７ａが押し下げられ、バルブロッド４７ｃが下動してシールパッキン４７ｂを開放する。すると、ベローズ４７ａ内の空気はシールパッキン４７ｂを介してバルブロッド４７ｃの下方に押し出され、内蓋３８の開口穴より内容器２３内に供給され、給湯口２５から給湯が行われる。
【００４２】
その後、押圧部材４６の押圧が解除されると、ベローズ４７ａは元の状態に復帰する。その際、ベローズ４７ａの上面に形成される吸気部が開放され、ベローズ４７ａ内に空気が吸入される。
【００４３】
図４に操作部５０の一例を示す。操作部５０は、ノーズ部３３の上面である上部部分３３ａの上面後方側に設けられ、右側には給湯スイッチのロック解除を行うロック解除スイッチボタン５１ａ、料理作業に便利なキッチンタイマースイッチボタン５１ｂ及び保温を行うかどうかを選択するための保温選択スイッチボタン５１ｃが配置され、左側には再沸騰させるための再沸騰スイッチボタン５１ｄ、不必要時に電源をオフする節電タイマースイッチボタン５１ｅ及び魔法瓶スイッチボタン５１ｆからなる各種スイッチボタン５１が配置され、中央には各種情報を表示する液晶表示装置である表示部５２が設けられる。
【００４４】
ノーズ部３３の上部部分３３ａの底部内面にはマイコン基板ユニット５５がビスにより下方より取付けられる。マイコン基板ユニット５５は、図９に示すように収納ケース５６、マイコン基板５７及び給湯基板５８を有する。なお、上部部分３３ａに設けられる表示部５２は透明樹脂を貼付した表示用開口５２ａ（図７参照）であり、液晶表示装置５２ｂはマイコン基板５７に設けられる。
【００４５】
前記収納ケース５６は、本体部５６ａと、本体部５６ａの両側部よりそれぞれ左右方向に張り出してなる張出部５６ｂ、５６ｂを有する樹脂製の一体成形部材である。
【００４６】
本体部５６ａは平面視略台形状の底の浅い容器部分であり、内部のほとんどの領域を占める形態でマイコン基板５７が配置されるとともに、マイコン基板５７の前側且つ右側の下方の狭い領域に給湯基板５８（図１１も参照）が配置される。
【００４７】
また、前記張出部５６ｂのそれぞれは、平面視前後方向に細長い矩形状の底の浅い容器部分であり、内部の前方側には給湯レバー６５にばね力を付与するばね７５（図１０参照）の一端を支持するばね支持部５６ｂ１を有し、後方側には第２軸受５６ｂ２を有する。なお、第２軸受５６ｂ２、５６ｂ２は上方側及び後方側が開口する略Ｌ字状のもの、別言すれば、１／４円形状のもので、後記する第１軸受５３、５３と対向して軸受を構成する。
【００４８】
そして、前記マイコン基板５７には、各種スイッチボタン５１に対向する位置に各種スイッチ５７ａが配置されるとともに表示部５２である液晶表示装置５２ｂが配置され、前記給湯基板５８には、給湯レバー６５の底部に設けられる突部７１（図６参照）に対向する位置に給湯スイッチ５８ａが配置される（図１１参照）。
【００４９】
前記ノーズ部３３の上部部分３３ａの底部内面には、本体部５６ａの外周形状とほぼ同様の高さの低い隔壁３３ａａが垂下しており（図７及び図８参照）、マイコン基板ユニット５５を上部部分３３ａの底部内面に取付ける場合、本体部５６ａを隔壁３３ａａに嵌合させ、複数のビス穴５９を利用してマイコン基板ユニット５５を上部部分３３ａに螺合する。
【００５０】
また、上部部分３３ａの底部内面には、隔壁３３ａａの側面の左右側の外方には第１軸受５３、５３を有する。これら第１軸受５３、５３は、下方側及び前方側が開口する略Ｌ字状のもの、別言すれば、１／４円形状のもので、第２軸受５６ｂ２、５６ｂ２と対向して回動軸６７を挟み込む軸受を構成する。
【００５１】
なお、上部部分３３ａには、各種スイッチボタン５１に対向する位置に第１切欠片３３ａｂが設けられ、給湯レバー６５の底部に設けられる突部７１に対向する位置に第２切欠片３３ａｃが設けられる。これら第１切欠片３３ａｂ及び第２切欠片３３ａｃはほぼ同形、即ち前方後円で、方形部の一端が上部部分３３ａに繋がってバネ性を有し、方形部の他端が円形部に繋がり、円形部は各種スイッチボタン５１及び突部７１に対向する。
【００５２】
その結果、突部７１と第２切欠片３３ａｃと給湯スイッチ５８ａが上下方向で一直線に並び、各種スイッチボタン５１と第１切欠片３３ａｂと各種スイッチ５７ａが上下方向で一直線に並ぶ。
【００５３】
また、ノーズ部３３の上部部分３３ａの底部内面にマイコン基板ユニット５５が取付けられると、マイコン基板ユニット５５の前方側は給湯レバー６５の後方側の下方にまで伸びて、平面視でマイコン基板ユニット５５と給湯レバー６５とが一部の長さＹ（図３参照）重なる。
【００５４】
即ち、このような配置にすることにより、給湯レバー６５の下方の空間を利用してマイコン基板ユニット５５を前方側に広げることができるようになり、マイコン基板ユニット５５の面積を大きくすることができる。その結果、マイコン基板ユニット５５上へより多くの部品を配置することができ、更に各部品の配置の自由度を高めることができる。
【００５５】
ノーズ部３３の上面である上部部分３３ａの前方側には、図４で示すように下方に窪んだ凹陥部６１が設けられる。この凹陥部６１は給湯レバー６５と同形の平面視略コ字状であり、給湯レバー６５が配置される。
【００５６】
また、この凹陥部６１の左右端には、前方側から後方側に向かって貫通する連通孔６２、６２が設けられ、給湯レバー６５の回動軸６７の軸支持突起６６、６６が前方側から後方側に向かって嵌入される。なお、凹陥部６１の前方側の左右には水抜き穴６１ｂ、６１ｂ（図７参照）が設けられており、凹陥部６１に水が浸入した場合、浸入した水を排出する。
【００５７】
給湯レバー６５は、図５及び図６に示すように凹陥部６１の形状と同じ平面視略コ字状であり、その左右側の後面６５ｄ、６５ｄには後方側に張り出す形態で軸支持突起６６、６６が設けられる。そして、軸支持突起６６のそれぞれの後方側には左右方向に水平に伸びる断面円形の回動軸６７が設けられ、回動軸６７の前方側には上部から垂下する断面十字状の柱体であるばね支持部６８が設けられる。
【００５８】
また、給湯レバー６５の中央の後面６５ｄには、後方側に張り出す形態で係止片６９（図６参照）が設けられる。この係止片６９は給湯レバー６５が凹陥部６１に取付けられると凹陥部６１の後方側の側面に形成される係止溝６１ａ（図４参照）に嵌合し、給湯レバー６５の上動を規制する。即ち、係止片６９がない場合、給湯レバー６５の中央に上方への力が加えられると、給湯レバー６５は逆Ｕ字状に撓んで最悪外れたりする等の恐れが生じるが係止片６９を設けることによりそのような弊害がなくなる。
【００５９】
給湯レバー６５の底部には、複数の板状の補強リブ７０が前後方向及び左右方向に亘って垂下しており、給湯レバー６５の押圧時に給湯レバー６５がねじれてスイッチ押し不良になる弊害を防止する。
【００６０】
この例の場合、前方側に位置する補強リブ７０は給湯レバー６５の側面６５ｂ及び前面６５ｃを形成し、後方側に位置する補強リブ７０は給湯レバー６５の後面６５ｄを形成することになる。なお、給湯レバー６５はメッキ加工してその強度を高めるとよい。
【００６１】
また、給湯レバー６５の上面６５ａの右側の底面には突部７１が設けられる。この突部７１は給湯レバー６５が凹陥部６１に取付けられると第２切欠片３３ａｃ及び給湯スイッチ５８ａに対向し、給湯レバー６５が押されると給湯スイッチ５８ａがオンする。なお、この突部７１は給湯スイッチ５８ａとともに給湯レバー６５の上面６５ａの左側の底面は勿論のこと、給湯口２５の近傍であればどの位置でもよい。
【００６２】
給湯レバー６５の凹陥部６１への取付けは以下のように行われる。凹陥部６１に斜め上方から給湯レバー６５を近づけ、まず、両端から後方に伸びる軸支持突起６６、６６を凹陥部６１の左右端にある連通孔６２、６２内に挿入し、給湯レバー６５の前端部を押し下げて給湯レバー６５の全体を凹陥部６１に配置する。すると、給湯レバー６５の回動軸６７、６７の上部が第１軸受５３、５３に当接する。その状態を維持して肩部材２９の天地を逆にする。その状態を図８に示す。
【００６３】
その後、軸支持突起６６、６６の前方側に設けられるばね支持部６８、６８のそれぞれにコイル状のばね７５、７５の一端を係合する。
【００６４】
その後、ノーズ部３３の上部部分３３ａの底部内面から垂下する隔壁３３ａａにマイコン基板ユニット５５の本体部５６ａを嵌合するが、嵌合する際コイル状のばね７５、７５の他端を張出部５６ｂ、５６ｂのばね支持部５６ｂ１、５６ｂ１に当接する。そして、複数のビス穴５９からビスを螺合してマイコン基板ユニット５５を上部部分３３ａに固定する。すると、給湯レバー６５の回動軸６７、６７の下部が第２軸受５６ｂ２、５６ｂ２に当接する。即ち、回動軸６７、６７は第１軸受５３、５３と第２軸受５６ｂ２、５６ｂ２とからなる軸受に軸支される。
【００６５】
第１軸受５３と第２軸受５６ｂ２のそれぞれが軸受として組み立てられた状態を図１０に示す。図に示すように第１軸受５３と第２軸受５６ｂ２との分割面は水平ではなく、前方が高い傾斜状であるため、回動軸６７の前後方向の動きが第１軸受５３と第２軸受５６ｂ２のそれぞれによって規制される。即ち、回動軸６７が前後方向側に抜けにくくなる。
【００６６】
なお、給湯レバー６５が配置されると、給湯レバー６５はばね７５、７５により軸支持突起６６、６６の上面６６ａ、６６ａが連通孔６２、６２の上方側の内周面６２ａ、６２ａに当接するまで上動して初期位置、即ち、図１０で示すように給湯レバー６５と操作部５０の上面が面一になる位置で止まる。そして、給湯レバー６５の上面６５ａを押圧すると給湯レバー６５は下動し、押圧を解除すると初期位置まで上動する。
【００６７】
このように軸受を第１軸受５３と第２軸受５６ｂ２との２分割にすることで組付けが容易になるとともに、第１軸受５３と第２軸受５６ｂ２をそれぞれ上部部分３３ａとマイコン基板ユニット５５に一体成形することにより部品点数を従来例のものに比べ大幅に低減することができ、更にその取付けを容易にすることができる。
【００６８】
給湯レバー６５が凹陥部６１にセットされると、回動軸６７、６７が給湯レバー６５の後方に位置することになる。そのため、給湯レバー６５の押しストロークが確保され、給湯レバー６５を軽い力で操作することができるようになる。
【００６９】
また、給湯レバー６５の操作時に、給湯レバー６５の後面６５ｄと操作部５０の前面との間にできる隙間が小さくなり、上記図１２のもので説明したように隙間が大きくなり見栄えが悪くなる弊害が低減する。
【００７０】
そして、給湯レバー６５が凹陥部６１にセットされると、その上面６５ａは図２に示すように操作部５０及び蓋部材２２の上面と同じ円弧面、即ち面一になり、その側面６５ｂは図１に示すように操作部５０及び蓋部材２２の側面と同じ円弧面、即ち面一になり、その前面６５ｃは図１に示すようにノーズ部３３の前面と同じ円弧面、即ち面一になる。このように給湯レバー６５は少なくともその上面６５ａが操作部５０の上面と面一にされるため外観の見栄えがよくなり、手入れも簡単になる。
【００７１】
なお、給湯レバー６５の各面はノーズ部３３の各面と同じ例を説明したが、それよりも若干大きくても又は小さくてもよい。例えば、給湯レバー６５の左右方向の幅は、マイコン基板５７の本体部５６ａの左右方向の幅Ｓ（図９参照）以上にするとよい。
【００７２】
また、給湯レバー６５が凹陥部６１にセットされると、図１１に示すように給湯スイッチ５８ａの位置は平面視又は正面視で給湯口２５と重ならない給湯口２５の近傍、即ち給湯口２５の左右方向等の近傍になる。そのため、給湯レバー６５と給湯スイッチ５８ａと給湯口２５の３層構造になるような大型化が防止され、更には、給湯レバー６５のどの箇所を押してもより確実に給湯スイッチ５８ａがオンされる、別言すれば、給湯レバー６５がシーソー状に動き、給湯スイッチがオンしなくなるような弊害がなくなる。
【００７３】
本願発明は、上記実施の態様の構成に限定されるものではなく、発明の要旨を逸脱しない範囲において適宜設計変更可能であることは勿論である。
【符号の説明】
【００７４】
２０…電気貯湯容器                  ２１…容器本体
２２…蓋部材                        ２３…内容器
２４…電気ヒータ                    ２５…給湯口
２６…給湯通路                      ２７…電動ポンプ
２８…外ケース                      ２９…肩部材
３０…底板                          ３１…取手
３２…温度センサー                  ３３…ノーズ部
３３ａ…上部部分                    ３３ａａ…隔壁
３３ａｂ…第１切欠片                ３３ａｃ…第２切欠片
３３ｂ…下部部分                    ３４…内部空間
３５…止水弁                        ３６…蓋上部材
３７…蓋下部材                      ３８…内蓋
３９…ヒンジ部                      ４０…蓋開放部材
４１…断熱空間                      ４２…断熱材
４５…手動ポンプ                    ４６…押圧部材
４７…ベローズユニット              ４７ａ…ベローズ
４７ｂ…シールパッキン              ４７ｃ…バルブロッド
５０…操作部                        ５１…各種スイッチボタン
５１ａ…ロック解除スイッチボタン    ５１ｂ…キッチンタイマースイッチボタン
５１ｃ…保温選択スイッチボタン      ５１ｄ…再沸騰スイッチボタン
５１ｅ…節電タイマースイッチボタン  ５１ｆ…魔法瓶スイッチボタン
５２…表示部                        ５２ａ…表示用開口
５２ｂ…液晶表示装置                ５３…第１軸受
５５…マイコン基板ユニット          ５６…収納ケース
５６ａ…本体部                      ５６ｂ…張出部
５６ｂ１…ばね支持部                ５６ｂ２…第２軸受
５７…マイコン基板                  ５７ａ…各種スイッチ
５８…給湯基板                      ５８ａ…給湯スイッチ
５９…ビス穴                        ６１…凹陥部
６１ａ…係止溝                      ６１ｂ…水抜き穴
６２…連通孔                        ６５…給湯レバー
６５ａ…上面                        ６５ｂ…側面
６５ｃ…前面                        ６５ｄ…後面
６６…軸支持突起                    ６７…回動軸
６８…ばね支持部                    ６９…係止片
７０…補強リブ                      ７１…突部
７５…ばね
【図１】
2014221137.tif 000003
【図２】
2014221137.tif 000004
【図３】
2014221137.tif 000005
【図４】
2014221137.tif 000006
【図５】
2014221137.tif 000007
【図６】
2014221137.tif 000008
【図７】
2014221137.tif 000009
【図８】
2014221137.tif 000010
【図９】
2014221137.tif 000011
【図１０】
2014221137.tif 000012
【図１１】
2014221137.tif 000013
【図１２】
2014221137.tif 000014
【図１３】
2014221137.tif 000015